(57)【特許請求の範囲】
【請求項１】
伸縮可能な基材と、
該基材に支持され、導電性エラストマーからなる伸縮可能なセンサ本体と、
該センサ本体の伸縮方向に所定間隔だけ離間して接続され、電気抵抗を出力可能な一対の電極と、
該センサ本体における少なくとも一対の該電極間に配置され、該センサ本体の過度の伸長を規制する規制部材と、
少なくとも、該基材における該センサ本体が配置される側の面、および該センサ本体が配置される側と反対側の面、のうちの一面を被覆するカバー部材と、を有し、
該センサ本体の伸縮方向における該カバー部材のばね定数は、同方向における該基材のばね定数よりも大きく、該カバー部材により、該基材における該センサ本体が配置されていない部分のみの伸長が抑制されることにより、該センサ本体が該基材に対して優先的に伸縮し、
該センサ本体は、被検者の体の動きに伴って伸縮し、該センサ本体の伸縮に基づく該電気抵抗の変化から、該被検者の体の動きを検出する体動センサと、
該体動センサに電流を供給するための電源と、該体動センサからの出力を処理する演算部と、を有する制御回路部と、を備え、
該体動センサおよび該制御回路部は、一体的に該被検者の体に装着されることを特徴とする体動検出装置。
【請求項２】
一対の前記電極間において、前記規制部材の伸縮方向長さは、前記センサ本体の自然状態の伸縮方向長さの１．０２倍以上１．２倍以下である請求項１に記載の体動検出装置。
【請求項３】
前記被検者の体に巻き付けるための長尺状のベルト部材を備える請求項１または請求項２に記載の体動検出装置。
【請求項４】
前記基材は織りゴム製であり、
前記導電性エラストマーは、エチレン−プロピレン−ジエン三元共重合体に導電性カーボンが配合されてなり、
前記カバー部材は、ナイロン製である請求項１ないし請求項３のいずれかに記載の体動検出装置。  
【発明の詳細な説明】
【技術分野】
【０００１】
本発明は、被検者の体の動きを検出することのできる体動センサ、および体動検出装置に関する。
【背景技術】
【０００２】
健康管理や病気の治療を目的として、歩数や呼吸状態等の測定が行われている。例えば、心拍数、歩数、運動強度等を測定することにより、エネルギー代謝量を算出することができる。通常、心拍数は、被検者の肌に電極を直接取り付けて測定される。このため、被検者への負担が大きく、測定が容易とは言い難い。また、歩数は歩数計により測定される。歩数計では、歩行に伴う上下方向の振動をセンサにより検出したり、あるいは加速度の変化をセンサにより検出して、間接的に歩数を算出している。つまり、歩数計は、脚の動きを直接測定して歩数を計数しているのではない。このため、誤差が大きい。
【０００３】
一方、無呼吸症候群の発見、治療等のためには、呼吸状態の測定が必要となる。呼吸状態の測定は、被検者の鼻孔や口腔等に、マスクやチューブ等の器具を取り付けて行うのが一般的である。しかし、この方法によると、器具の装着により、被検者が息苦しさ、圧迫感を感じてしまい、被検者の負担が大きい。また、被検者が器具を意識してしまい、普段の呼吸状態が再現されにくい。これらの器具を使用せずに呼吸状態を測定する装置として、例えば特許文献１、２には、被検者の胸部に巻き付けて使用するベルト状の呼吸センサが開示されている。
【特許文献１】特開平６−１２１７８６号公報
【特許文献２】特開２００７−２０６５４号公報
【発明の開示】
【発明が解決しようとする課題】
【０００４】
上記特許文献１、２に開示された呼吸センサは、いずれも導電性ゴムを備えている。例えば、吸気時に被検者の胸部が膨張すると、胸部の周長が長くなる。これに伴い、胸部に配置された導電性ゴムが伸長し、導電性ゴムの電気抵抗が増加する。反対に、呼気時に胸部が収縮すると、胸部の周長が短くなる。これに伴い、導電性ゴムが収縮し、導電性ゴムの電気抵抗が減少する。このように、上記特許文献１、２に開示された呼吸センサでは、導電性ゴムの伸縮による電気抵抗の変化を利用して、呼吸状態を測定している。
【０００５】
上記呼吸センサによると、導電性ゴムは胸部の周長変化に応じて伸縮を繰り返す。しかし、導電性ゴムの過度の伸長を規制するものはない。このため、胸部の周長変化が大きい場合には、伸縮を繰り返すうちに導電性ゴムが疲労して使用できなくなるおそれがある。また、過度の伸長により、導電性ゴムが破壊されて元の形状に復元しないおそれがある。このように、導電性ゴムの伸縮を利用したセンサでは、導電性ゴムの耐久性が大きな問題となる。
【０００６】
また、上述した呼吸センサを用いて、実際に呼吸状態を測定するには、導電性ゴムの電気抵抗の変化に基づいて呼吸信号を出力するための制御装置が別途必要である。制御装置は、データを処理する演算部等の他、呼吸の波形を示す表示部や、表示部の切り替えを行う操作部等を備えることが多い。このため、制御装置には、ある程度の大きさが必要となる。よって、制御装置を呼吸センサと共に被検者の体に装着することは難しい。
【０００７】
本発明は、このような実情に鑑みてなされたものであり、被検者に負担をかけることなく、簡便かつ正確に体動を検出することのできる体動センサ、および体動測定装置を提供することを課題とする。
【課題を解決するための手段】
【０００８】
（１）上記課題を解決するため、本発明の体動センサは、伸縮可能な基材と、該基材に支持され、導電性エラストマーからなる伸縮可能なセンサ本体と、該センサ本体の伸縮方向に所定間隔だけ離間して接続され、電気抵抗を出力可能な一対の電極と、該センサ本体における少なくとも一対の該電極間に配置され、該センサ本体の過度の伸長を規制する規制部材と、を備え、該センサ本体は、被検者の体の動きに伴って伸縮し、該センサ本体の伸縮に基づく該電気抵抗の変化から、該被検者の体の動きを検出することを特徴とする（請求項１に対応）。
【０００９】
本発明の体動センサにおけるセンサ本体は、導電性エラストマーからなる。本明細書において、「エラストマー」は、ゴムおよび熱可塑性エラストマーを含む。導電性エラストマーは、エラストマー中に導電性フィラーが配合されてなる。導電性エラストマーが伸長すると、配合された導電性フィラー同士の接触点数が少なくなる。このため、電気抵抗が増加する。
【００１０】
センサ本体には、伸縮方向に所定間隔だけ離間して、一対の電極が接続されている。一対の電極が「電気抵抗を出力可能」とは、電気抵抗を直接あるいは間接的に出力可能なことをいう。すなわち、直接、電極から電気抵抗を出力する場合は勿論、電圧や電流など電気抵抗に関連する他の電気量を出力する場合を含む。
【００１１】
本発明の体動センサにおいて、センサ本体の少なくとも一対の電極間には、規制部材が配置されている。規制部材は、センサ本体の過度の伸長を規制する。このため、センサ本体の破壊が抑制される。また、伸縮を繰り返してもセンサ本体は劣化しにくい。つまり、センサ本体は耐久性に優れる。
【００１２】
本発明の体動センサは、被検者の体の動き（体動）を検出する。検出対象となる体動の種類は、特に限定されるものではない。例えば、本発明の体動センサを被検者の胸部、腹部付近に配置した場合には、呼吸による胸部、腹部の動きを検出することができる。これにより、呼吸状態を測定することができる。また、本発明の体動センサを被検者の太腿や、ふくらはぎに配置した場合には、歩行等による脚の動きを検出することができる。これにより、歩数等を測定することができる。また、本発明の体動センサを被検者の上腕や前腕に配置すれば、肘や手首の動きを検出することができる。なお、本発明における「被検者」には、人間は勿論のこと、動物も含まれる。
【００１３】
本発明の体動センサは、被検者の体の動きを直接的に検出する。このため、呼吸状態、歩数等を正確かつ簡便に測定することができる。つまり、本発明の体動センサによると、被検者に息苦しさ、圧迫感等を感じさせずに、体動を伴う種々の測定が可能である。また、測定時における緊張感も少ないため、普段通りの体動を検出することができる。また、本発明の体動センサを、被検者の体に固定することにより、測定時の姿勢、状態等によらず体動を検出することができる。したがって、安静時、歩行等の運動時を問わず、使用することができる。また、本発明の体動センサは、被検者の肌に直接的に固定してもよく、衣服等を介して間接的に固定してもよい。
【００１４】
また、センサ本体は、伸縮可能な導電性エラストマーからなると共に、伸縮可能な基材に支持されている。このため、本発明の体動センサは、平坦でない部位にも配置が容易であり、被検者の体の広い領域に配置することができる。また、センサ本体の厚さ、伸縮方向の長さに加え、エラストマーや導電性フィラーの種類、導電性フィラーの充填率等を調整することにより、センサ本体の電気抵抗を所定の範囲に設定することができる。さらに、体動に合った周波数特性を容易に実現することもできる。
【００１５】
（２）好ましくは、上記（１）の構成において、一対の前記電極間において、前記規制部材の伸縮方向長さは、前記センサ本体の自然状態の伸縮方向長さの１．０２倍以上１．２倍以下である構成とする方がよい（請求項２に対応）。
【００１６】
規制部材の伸縮方向長さは、センサ本体の自然状態の伸縮方向長さよりも大きい。よって、その分だけ、一対の前記電極間において弛んだ状態で配置される。例えば、体動センサが大きく伸長する場合、規制部材の当該弛み分が消費されるまでしか、センサ本体は伸長することができない。このように、本構成によると、センサ本体の最大伸長量を簡便に規制することができる。
【００１７】
（３）また、本発明の体動検出装置は、上記（１）または（２）に記載した本発明の体動センサと、該体動センサに電流を供給するための電源と、該体動センサから出力された電気抵抗値を処理する演算部と、を有する制御回路部と、を備え、該体動センサおよび該制御回路部は、一体的に前記被検者の体に装着されることを特徴とする（請求項３に対応）。
【００１８】
本発明の体動検出装置によると、体動センサと制御回路部とが共に被検者の体に装着される。このため、携帯性に優れ、歩行等の運動時においても簡便に体動を検出することができる。また、制御回路部を小型化することにより、装着時の異物感をより低減することができる。これにより、就寝時においても、被検者に負担をかけずに、体動を検出することができる。
【００１９】
（４）好ましくは、上記（３）の構成において、前記被検者の体に巻き付けるための長尺状のベルト部材を備える構成とする方がよい（請求項４に対応）。
【００２０】
ベルト部材により、被検者への体動センサの装着を容易に行うことができる。また、ベルト部材を被検者の体に巻き付けることにより、就寝時、歩行等の運動時等における体動センサのずれ等が抑制され、体動センサを確実に固定するとができる。
【００２１】
（５）好ましくは、上記（３）または（４）の構成において、少なくとも前記基材の表面を被覆し、該基材に対して前記センサ本体を優先的に伸縮させるためのカバー部材を備える構成とする方がよい（請求項５に対応）。
【００２２】
センサ本体のばね定数と比較して、基材のばね定数が小さい場合、センサ本体が伸長する前に基材のみが伸長し、体動を正確に検出できないおそれがある。本構成によると、基材に対してセンサ本体を優先的に伸縮させることができるため、確実にセンサ本体を伸長させることができる。また、カバー部材で基材表面を被覆することにより、被験者の体を、電極、制御回路部等から保護することができる。これにより、安全性が向上すると共に、被検者の体への負担をより少なくすることができる。また反対に、電極、制御回路部等を、被験者の体の水分、皮脂等から保護することができる。さらに、カバー部材により配線を被覆すれば、取り扱いが容易になり、意匠性も向上する。
【発明を実施するための最良の形態】
【００２３】
以下、本発明の体動センサおよび体動検出装置を、人間の呼吸検出用として具現化した実施の形態について説明する。
【００２４】
＜第一実施形態＞
［体動検出装置の構造的構成］
まず、本実施形態の体動検出装置の構造的構成について説明する。図１に、本実施形態の体動検出装置の装着図を示す。図２に、同体動検出装置の分解図を示す。図３に、図２のＩＩＩ−ＩＩＩ方向断面図を示す。図１〜図３に示すように、本実施形態の体動検出装置１は、体動センサ２と、コントローラ３と、ベルト部材４と、を備えている。コントローラ３は、本発明の制御回路部に含まれる。体動検出装置１は、全体として環状を呈している。体動検出装置１は、伸縮可能である。体動検出装置１は、被験者９０の胸部周囲に装着されている。
【００２５】
体動センサ２は、一対のセンサ本体２０、２１と、基材２２と、合計四つの電極２３０〜２３３と、一対の規制部材２３と、を備えている。基材２２は、伸縮可能な織りゴム製であって、長尺状を呈している。ここで、基材２２の長手方向（左右方向）のばね定数は、後述するセンサ本体２０、２１の長手方向（左右方向）のばね定数よりも、小さい。すなわち、基材２２は、センサ本体２０、２１よりも伸縮しやすい。基材２２の左右方向両端部の裏面（被験者９０側の面）には、各々、図２に点線で示すように、面ファスナー２２０、２２１が配置されている。基材２２は、被験者９０の胸部の前面に配置されている。
【００２６】
センサ本体２０は、伸縮可能な導電性エラストマー製であって、細板状を呈している。導電性エラストマーは、ＥＰＤＭ（エチレン−プロピレン−ジエン三元共重合体）中に導電性カーボンが配合されてなる。センサ本体２０は、基材２２の左右方向中央よりも左側に配置されている。センサ本体２０は、左右方向に延在している。センサ本体２０は、基材２２の表側（前方）に配置されている。センサ本体２０は、息を吐ききった状態でちょうど無荷重状態（自然状態）になるよう、配置されている。
【００２７】
規制部材２３は、ナイロン製であって、フィルム状を呈している。規制部材２３は、基材２２とセンサ本体２０との間に、介装されている。後述する電極２３０、２３１間において、規制部材２３の左右方向長さは、センサ本体２０の自然状態の左右方向長さよりも大きい。よって、図３に強調して示すように、規制部材２３は、左右方向に若干弛んだ状態で、配置されている。
【００２８】
電極２３０、２３１は、金属製のリベットである。電極２３０は、センサ本体２０左端部に配置されている。電極２３０は、センサ本体２０左端部と規制部材２３左端部とを、基材２２に固定している。一方、電極２３１は、センサ本体２０右端部に配置されている。電極２３１は、センサ本体２０右端部と規制部材２３右端部とを、基材２２に固定している。
【００２９】
センサ本体２１は、センサ本体２０同様に、伸縮可能な導電性エラストマー製であって、細板状を呈している。センサ本体２１は、基材２２の左右方向中央よりも右側に配置されている。すなわち、センサ本体２１は、センサ本体２０と左右方向に対向している。センサ本体２１は、左右方向に延在している。センサ本体２１は、基材２２の表側（前方）に配置されている。センサ本体２１は、息を吐ききった状態でちょうど無荷重状態（自然状態）になるよう、配置されている。
【００３０】
センサ本体２１と基材２２との間には、上記規制部材２３と同様の規制部材が介装されている。規制部材は、規制部材２３と同様、左右方向に若干弛んだ状態で、配置されている（図３参照）。
【００３１】
電極２３２、２３３は、金属製のリベットである。電極２３２は、センサ本体２１左端部に配置されている。電極２３２は、センサ本体２１左端部と規制部材左端部とを、基材２２に固定している。一方、電極２３３は、センサ本体２１右端部に配置されている。電極２３３は、センサ本体２１右端部と規制部材右端部とを、基材２２に固定している。
【００３２】
コントローラ３は、基材２２の左右方向略中央に配置されている。コントローラ３は、図２に点線で示すように、基材２２の裏面に配置されている。コントローラ３と、電極２３０〜２３３と、は電気的に接続されている。
【００３３】
ベルト部材４は、伸縮可能な織りゴム製であって、長尺状を呈している。ベルト部材４の長手方向（左右方向）両端部の表面には、各々、図２に示すように、面ファスナー４０、４１が配置されている。ベルト部材４は、被験者９０の胸部の後面に配置されている。ベルト部材４左端部の面ファスナー４０と基材２２左端部の面ファスナー２２０とが係合し、ベルト部材４右端部の面ファスナー４１と基材２２右端部の面ファスナー２２１とが係合することにより、基材２２とベルト部材４とが無端環状に接続される。この状態で、基材２２およびベルト部材４（つまり体動検出装置１）は、被験者９０の胸部周囲に巻き付けられて装着されている。
【００３４】
［体動検出装置の電気的構成］
次に、本実施形態の体動検出装置１の電気的構成について説明する。図４に、同体動検出装置のブロック図を示す。図４に示すように、コントローラ３は、電源３０と演算部３１と記憶部３２と電池３３とランプ３４とボタン３５とを備えている。
【００３５】
電池３３は、コントローラ３および体動センサ２の動力源である。電源３０は、定電流回路である。電源３０は、体動センサ２に所定の電流を供給している。
【００３６】
演算部３１には、電極２３０〜２３３を介して、センサ本体２０、２１の電圧が入力される。記憶部３２には、演算部３１で処理されたデータが一時的に記憶される。ボタン３５は、電源３０のオン、オフ切り替え用である。ランプ３４は、電源３０のオン状態に連動して点灯する。コントローラ３の演算部３１には、パーソナルコンピューター（以下、「パソコン」と略称する。）９１が接続可能である。
【００３７】
［体動検出装置の動き］
次に、本実施形態の体動検出装置１の動きについて説明する。図５に、同体動検出装置のセンサ本体伸長時におけるセンサ本体付近の左右方向断面図を示す。なお、図５は図３と対応している。
【００３８】
前出図１に示すように、被験者９０の呼吸に伴って、被験者９０の胸囲は伸縮する。このため、体動センサ２は、左右方向に伸縮する。センサ本体２０は、図３に示す自然状態と、図５に示す伸長状態と、を周期的に繰り返す。
【００３９】
自然状態から伸長状態に切り替わると、センサ本体２０に配合された導電性フィラー同士の接触点数が少なくなる。このため、センサ本体２０の電気抵抗が増加する。前述したように、基材２２のばね定数は、センサ本体２０のばね定数よりも小さい。このため、例えば被験者９０のあくび等により、体動センサ２が大きく伸長する場合であっても、基材２２が優先的に伸長するため、センサ本体２０の急激な伸長が抑制される。
【００４０】
また、センサ本体２０の左右両端には、規制部材２３の左右両端が、それぞれ固定されている。また、規制部材２３は、図３に示す自然状態において、弛んでいる。このため、体動センサ２が大きく伸長する場合であっても、規制部材２３の当該弛み分が消費されるまでしか、センサ本体２０は伸長しない（図５の規制部材２３は弛んでいない）。このように、規制部材２３は、センサ本体２０の最大伸長量を規制している。
【００４１】
伸長状態から自然状態に切り替わると、センサ本体２０に配合された導電性フィラー同士の接触点数が多くなる。このため、センサ本体２０の導電性が向上する。言い換えると、センサ本体２０の電気抵抗が減少する。
【００４２】
センサ本体２０の電気抵抗は、図４に示すように、電圧として、コントローラ３に入力され、記憶部３２に記憶される。この処理は、所定時間だけ継続的に実行される。処理終了後は、被験者９０から体動検出装置１を取り外す。そして、コントローラ３とパソコン９１とを接続する。パソコン９１には、記憶部３２に記憶されていた所定時間分の呼吸データが、コントローラ３から転送される。当該呼吸データは、パソコン９１のディスプレイ９１０に、時系列的なグラフとして表示される。
【００４３】
［作用効果］
次に、本実施形態の体動センサ２および体動検出装置１の作用効果について説明する。本実施形態において、基材２２は、センサ本体２０、２１よりも伸縮しやすい。このため、上述したように、胸囲が大きく伸長し、体動センサ２が大きく伸長しても、基材２２が優先的に伸長する。このため、センサ本体２０、２１の急激な伸長が抑制される。また、規制部材２３により、センサ本体２０、２１の最大伸長量が規制される。したがって、センサ本体２０、２１の破壊が抑制される。また、伸縮を繰り返してもセンサ本体２０、２１は劣化しにくい。
【００４４】
本実施形態の体動検出装置１は、ベルト部材４を備えている。よって、体動センサ２を被検者９０へ容易に装着することができる。また、本実施形態の体動検出装置１によると、被検者９０の胸部周囲に装着するだけで、被検者９０に息苦しさ、圧迫感等を感じさせずに、呼吸状態を簡便かつ正確に測定することができる。また、被検者９０の行動の制約はなく、測定時における緊張感も少ないため、平常時の呼吸状態を測定することができる。
【００４５】
本実施形態において、コントローラ３は、定電流回路の電源３０を備えている。電源３０としては、定電流ダイオードやＦＥＴ（電界効果トランジスタ）等を使用することができる。増幅回路等を必要とせず、電源３０によりセンサ本体２０、２１を駆動することができるため、制御回路を単純化することができる。したがって、コントローラ３の軽量化、小型化が容易である。これにより、コントローラ３の携帯性が向上し、体動センサ２と共に一体的に装着することができる。
【００４６】
＜第二実施形態＞
本実施形態の体動センサおよび体動検出装置と、第一実施形態の体動センサおよび体動検出装置と、の相違点は、基材の裏地としてカバー部材が配置されている点である。したがって、ここでは相違点についてのみ説明する。図６に、本実施形態の体動センサの斜視図を示す。なお、図２と対応する部位については、同じ符号で示す。また、図６においては、裏側から体動センサを見ている。
【００４７】
図６に示すように、基材２２の裏面には、ナイロン製であって伸縮可能なカバー部材５が縫い付けられている。カバー部材５の長手方向（左右方向）のばね定数は、基材２２の長手方向（左右方向）のばね定数よりも、大きい。すなわち、カバー部材５は、基材２２よりも伸縮しにくい。カバー部材５は、電極２３０〜２３３、コントローラ３を裏側から覆っている。また、カバー部材５の左右方向両端部には、面ファスナー２２０、２２１が配置されている。
【００４８】
本実施形態の体動センサ２および体動検出装置は、構成が共通する部分については、第一実施形態の体動センサおよび体動検出装置と同様の作用効果を有する。また、本実施形態の体動センサ２には、カバー部材５が配置されている。ここで、カバー部材５の左右方向のばね定数は、基材２２の左右方向のばね定数よりも、大きい。このため、本実施形態の体動センサ２によると、センサ本体が配置されていない基材２２のみの部分（基材２２の左右方向両端部）だけが伸長するのを抑制し、胸部の膨張、収縮に追随させて正確にセンサ本体を伸長させることができる。また、カバー部材５により、被験者の体を、電極２３０〜２３３、コントローラ３から保護することができる。これにより、安全性が向上すると共に、被検者の体への負担をより少なくすることができる。また反対に、電極２３０〜２３３、コントローラ３を、被験者の体の水分、皮脂等から保護することができる。さらに、カバー部材５により、配線（図略）を被覆することができるため、取り扱いやすく、意匠性も向上する。
【００４９】
＜その他＞
以上、本発明の体動センサおよび体動検出装置の実施の形態について説明した。しかしながら、実施の形態は上記形態に特に限定されるものではない。当業者が行いうる種々の変形的形態、改良的形態で実施することも可能である。
【００５０】
例えば、上記実施形態では、左右一対のセンサ本体を配置した。しかし、体動センサを構成するセンサ本体の数は、一つであっても、三つ以上であってもよい。センサ本体は、導電性エラストマー製であればよく、エラストマーや導電性フィラーの種類は限定されない。エラストマーや導電性フィラーの種類、導電性フィラーの充填率、さらにはセンサ本体の厚さ、伸縮方向の長さ等を調整することにより、センサ本体の電気抵抗を所定の範囲に設定すればよい。また、体の動きに応じて、例えば０．１〜１０Ｈｚ程度の周波数特性を得られるよう、センサ本体を最適化すればよい。
【００５１】
上記実施形態では、ナイロン製の規制部材を使用した。しかし、規制部材は、自身が伸長しにくく、センサ本体の過度の伸長を規制できるものであれば、その材質は特に限定されない。また、一対の電極間における規制部材の伸縮方向長さは、センサ本体の許容伸長量に応じて、適宜決定すればよい。上記実施形態では、規制部材を、基材とセンサ本体との間に介装した。しかし、必ずしも基材とセンサ本体との間に規制部材を介装させる必要はなく、基材／センサ本体／規制部材の順に積層させてもよい。
【００５２】
上記実施形態では、ベルト部材と基材とを面ファスナーにより接続した。しかし、ベルト部材および基材が一体的に形成されていてもよい。また、ベルト部材と基材との接続方法は、上記実施形態に限定されない。例えばホック、バックル等を用いて接続してもよい。また、上記実施形態では、ベルト部材および基材の両方を織りゴム製としたが、ベルト部材と基材とは、各々異なる材質のものを採用してもよい。また、材質を同じにして、ばね定数のみを変化させてもよい。
【００５３】
上記第二実施形態では、基材の裏面にカバー部材を配置した。しかし、カバー部材は、基材の表面に配置してもよく、体動センサ全体を被覆するよう配置してもよい。また、カバー部材の材質は、特に限定されないが、基材よりも伸縮しにくいものが望ましい。
【００５４】
上記実施形態では、コントローラをパソコンと接続して、呼吸データを表示した。しかし、コントローラにて処理されたデータを、表示装置に無線で電送してもよい。また、コントローラに蓄積された呼吸データを、ＵＳＢ（Ｕｎｉｖｅｒｓａｌ  Ｓｅｒｉａｌ  Ｂｕｓ）メモリ等で取り出して、パソコンに表示させてもよい。
【００５５】
本発明の体動センサおよび体動検出装置は、上記実施形態のように、被検者の肌に直接的に装着してもよく、衣服等を介して間接的に装着してもよい。また、上記実施形態では、体動センサおよび体動検出装置を、人間の呼吸検出用として具現化した。しかし、本発明の体動センサおよび体動検出装置により、例えば太腿、ふくらはぎ等の筋肉の動き（具体的には、膝の動きによる太腿の伸縮、足首の動きによるふくらはぎの伸縮等）を検出してもよい。これにより、歩行等における脚の動きを検出することができ、例えば歩数等を測定することができる。また、本発明の体動センサおよび体動検出装置により、上腕、前腕の筋肉の動きを検出してもよい。これにより、肘や手首の動きを検出することができる。
【図面の簡単な説明】
【００５６】
【図１】本発明の第一実施形態の体動検出装置の装着図である。
【図２】同体動検出装置の分解図である。
【図３】図２のＩＩＩ−ＩＩＩ方向断面図である。
【図４】同体動検出装置のブロック図である。
【図５】同体動検出装置のセンサ本体伸長時におけるセンサ本体付近の左右方向断面図である。
【図６】本発明の第二実施形態の体動センサの斜視図である。
【符号の説明】
【００５７】
１：体動検出装置
２：体動センサ  ２０、２１：センサ本体  ２２：基材  ２３：規制部材
２２０、２２１：面ファスナー  ２３０〜２３３：電極
３ コントローラ（制御回路部）３０：電源  ３１：演算部  ３２：記憶部  ３３：電池
３４：ランプ  ３５：ボタン
４：ベルト部材  ４０、４１：面ファスナー
５：カバー部材
９０：被験者  ９１：パソコン  ９１０：ディスプレイ
【図１】
0005506157.tif 000002
【図２】
0005506157.tif 000003
【図３】
0005506157.tif 000004
【図４】
0005506157.tif 000005
【図５】
0005506157.tif 000006
【図６】
0005506157.tif 000007